(57)【要約】【課題】気兼ねなくオートストア機能を実行することができるラジオ受信機を提供する。【解決手段】複数のプリセットキー５８と、各プリセットキー５８に対応づけて設けられ、オートストア機能により検出される受信可能な放送局の放送局情報が順次書き換え可能に記憶されるトラベルチャンネル用メモリ１９Ｂと、トラベルチャンネル用メモリ１９Ｂに記憶された放送局を受信中にプリセットキー５８を操作することで、当該受信中の放送局の放送局情報が操作したプリセットキー５８に対応づけて書き込まれるプリセットチャンネル用メモリ１９Ａと、を備えたことを特徴とする。【選択図】図１
2012248928.tif 000002
【特許請求の範囲】
【請求項１】
複数のプリセットキーと、各プリセットキーに対応づけて設けられ、オートストア機能により検出される受信可能な放送局の放送局情報が順次書き換え可能に記憶されるトラベルチャンネル用メモリと、前記トラベルチャンネル用メモリに記憶された放送局を受信中に前記プリセットキーを操作することで、当該受信中の放送局の放送局情報が前記操作したプリセットキーに対応づけて書き込まれるプリセットチャンネル用メモリと、を備えたことを特徴とするラジオ受信機。
【請求項２】
前記放送局情報には、すくなくとも当該放送局情報が係る放送局の受信周波数が書き込まれることを特徴とする請求項１に記載のラジオ受信機。
【請求項３】
前記トラベルチャンネル用メモリに放送局情報が記憶された放送局の受信と、前記プリセットチャンネル用メモリに放送局情報が記憶された放送局の受信と、を切り替える操作ボタンを備えたことを特徴とする請求項１または２に記載のラジオ受信機。
【請求項４】
前記トラベルチャンネル用メモリ、或いは、前記プリセットチャンネル用メモリに放送局情報が記憶された放送局の受信中に、当該受信中の放送局情報を表示する表示手段を備えたことを特徴とする請求項１から３のいずれかに記載のラジオ受信機。
【請求項５】
手動選局により検出された放送局の受信中に、前記プリセットキーを操作することで、当該受信中の放送局の放送局情報が前記操作したプリセットキーに対応づけてプリセットチャンネル用メモリに書き込まれることを特徴とする請求項１から４のいずれかに記載のラジオ受信機。
【発明の詳細な説明】
【技術分野】
【０００１】
本発明は、受信したラジオ放送局を自動的に登録するオートストア機能を備えるラジオ受信機に関する。
【背景技術】
【０００２】
従来、ラジオ放送の放送局からの放送電波を受信して再生する機能を備えたラジオ受信機において、予め設定された受信可能範囲を走査しながら受信電波強度を観測することにより、受信可能な放送局を探し出して複数備えたプリセットキーの各々に自動的に登録するオートストア機能を備えたラジオ受信機が知られている（例えば、特許文献１参照）。
【先行技術文献】
【特許文献】
【０００３】
【特許文献１】特開平８−７９０１７号公報
【発明の概要】
【発明が解決しようとする課題】
【０００４】
ところで、オートストア機能を備えるラジオ受信機は、再度オートストア機能が実行された際に、これまでプリセットキーに登録されていた放送局は消去し、オートストア機能実行時に受信電波強度の強い放送局を新たにプリセットキーに登録する。そのため、オートストア機能を実行したことで、気に入った放送局が異なる放送局に書き換わってしまい、気に入った放送局をプリセットキーから選局することができなくなる場合があり、ユーザーは、気兼ねなくオートストア機能を実行することができないという問題があった。
本発明は、上述した従来の技術が有する課題を解消し、気兼ねなくオートストア機能を実行することができるラジオ受信機を提供することを目的とする。
【課題を解決するための手段】
【０００５】
上記目的を達成するために、本発明は、複数のプリセットキーと、各プリセットキーに対応づけて設けられ、オートストア機能により検出される受信可能な放送局の放送局情報が順次書き換え可能に記憶されるトラベルチャンネル用メモリと、前記トラベルチャンネル用メモリに記憶された放送局を受信中に前記プリセットキーを操作することで、当該受信中の放送局の放送局情報が前記操作したプリセットキーに対応づけて書き込まれるプリセットチャンネル用メモリと、を備えたことを特徴とする。
【０００６】
この構成において、前記放送局情報には、すくなくとも当該放送局情報が係る放送局の受信周波数が書き込まれる構成としても良い。また、前記トラベルチャンネル用メモリに放送局情報が記憶された放送局の受信と、前記プリセットチャンネル用メモリに放送局情報が記憶された放送局の受信と、を切り替える操作ボタンを備えた構成としても良い。また、前記トラベルチャンネル用メモリ、或いは、前記プリセットチャンネル用メモリに放送局情報が記憶された放送局の受信中に、当該受信中の放送局情報を表示する表示手段を備えた構成としても良い。また、手動選局により検出された放送局の受信中に、前記プリセットキーを操作することで、当該受信中の放送局の放送局情報が前記操作したプリセットキーに対応づけてプリセットチャンネル用メモリに書き込まれる構成としても良い。
【発明の効果】
【０００７】
本発明によれば、複数のプリセットキーと、各プリセットキーに対応づけて設けられ、オートストア機能により検出される受信可能な放送局の放送局情報が順次書き換え可能に記憶されるトラベルチャンネル用メモリと、トラベルチャンネル用メモリに記憶された放送局を受信中にプリセットキーを操作することで、当該受信中の放送局の放送局情報が操作したプリセットキーに対応づけて書き込まれるプリセットチャンネル用メモリと、を備えたため、オートストア機能を実行しても、記憶されている放送局情報が書き換えられることがないプリセットチャンネル用メモリに、トラベルチャンネル用メモリに記憶された放送局の放送局情報を簡単な操作で記憶させておくことができ、ユーザーは、登録されていたお気に入りの放送局の放送局情報が消えてしまう等の心配をすることなく、気兼ねなくオートストア機能を実行することができる。
【図面の簡単な説明】
【０００８】
【図１】本発明を適用した実施形態に係るラジオ受信機の機能的構成を示すブロック図である。
【図２】ラジオ受信機の正面図である。
【図３】（Ａ）Ａ−ＳＥＬバンドリストを示す図であり、（Ｂ）通常バンドリストを示す図である。
【図４】ラジオ受信機の動作を示すフローチャートである。
【図５】Ａ−ＳＥＬバンドリストと、通常バンドリストを示す図である。
【発明を実施するための形態】
【０００９】
以下、図面を参照して本発明の実施形態について説明する。
図１は、本発明を適用した実施形態に係るラジオ受信機１の機能的構成を示すブロック図である。図１に示すように、ラジオ受信機１は、マイコン１０、ＣＤ再生部１１、受信部１２、外部通信部１３、入力部１４、音響出力部１５、スピーカー１６、表示部（表示手段）１７、記憶部１９を備える。ラジオ受信機１は、オートストア機能を備え、予め設定された受信可能範囲を走査しながら受信電波強度を観測することにより、受信可能な放送局を探し出し、探し出した放送局を周波数が小さい放送局から順に後述する複数のダイレクトボタンに自動的に登録することができる。
ラジオ受信機１は、図示は省略したが、車両に搭載され、ダッシュボードの下部中央など前部座席の搭乗者にとって操作しやすい位置に配設される。ラジオ受信機１は、例えば、電源系統を介して車両の電源に接続される。
【００１０】
マイコン１０は、ラジオ受信機１の各部の制御を実行するものであり、図示は省略したが制御手段としてのＣＰＵ、記憶手段としてのＲＯＭやＲＡＭを備えている。ＲＯＭには、ＣＰＵに実行される基本制御プログラムがコンピューターに読み取り可能な形態で不揮発的に記憶されている。ＲＡＭには、ＣＰＵに実行されるプログラムやこのプログラムに係るデータ等が一時的に記憶される。また、マイコン１０は、その他の周辺回路等を備えている。
【００１１】
ＣＤ再生部１１は、マイコン１０の制御の下、ＣＤ再生部１１に挿入されたＣＤに記録されている音楽データを読み取り、音声信号を音響出力部１５に出力する。
受信部１２は、ＦＭ／ＡＭ波のラジオ放送を受信するものであり、アンテナ１８と、不図示のチューナー回路とを備える。受信部１２は、マイコン１０の制御の下、所定の放送局からのラジオ放送を受信し、音声信号を音響出力部１５に出力する。
【００１２】
外部通信部１３は、図示は省略したが、携帯型音響機器などの外部機器をラジオ受信機１に接続するための複数の接続ポートを備え、外部通信部１３に接続された外部機器との通信を確立する。外部通信部１３は、マイコン１０の制御の下、外部通信部１３に接続された外部機器から音声信号を受信して音響出力部１５に出力する。
入力部１４は、後述する複数の操作キー５を備え、ユーザーの操作キー５に対する操作を検出してマイコン１０に出力する。
【００１３】
音響出力部１５は、マイコン１０の制御の下、ＣＤ再生部１１、受信部１２、外部通信部１３のいずれかから入力される音声信号に基づいて音声を出力するものであり、図示は省略したが、ＤＳＰ（Ｄｉｇｉｔａｌ  Ｓｉｇｎａｌ  Ｐｒｏｃｅｓｓｏｒ）、電子ボリューム回路、及び、アンプを備える。音響出力部１５は、マイコン１０の制御の下、入力される音声信号に対して、ＤＳＰで例えばフィルター処理やイコライザ処理、音声信号が符号化されている場合にデコード処理といったデジタル音声信号処理を施して、電子ボリューム回路に出力し、電子ボリューム回路で、再生音量を調整すべく、音声信号をＤ／Ａ変換した後に、信号の振幅レベルを調整してアンプに出力し、アンプで音声信号を増幅してスピーカー１６に出力するものである。
【００１４】
表示部１７は、表示パネル６を備え、制御部１０の制御の下、表示パネル６にラジオ受信機１の駆動状態を表示する。表示パネル６には、不図時のタッチパネルが重ねて配設されていても良く、この場合、入力部１４は、このタッチパネルを介して入力されるユーザー指示を検出する。
【００１５】
記憶部１９は、あらかじめ受信、再生対象の放送局としてユーザーが選択した放送局に係る情報が記憶されるプリセットチャンネル用メモリ１９Ａと、オートストア機能によって自動受信された放送局に係る情報が記憶されるトラベルチャンネル用メモリ１９Ｂと、を備える。プリセットチャンネル用メモリ１９Ａ、及び、トラベルチャンネル用メモリ１９Ｂに記憶される放送局情報は、ユーザー操作、或いは、制御部１０の制御の下、書き換え自在に記憶されている。
【００１６】
プリセットチャンネル用メモリ１９Ａ、及び、トラベルチャンネル用メモリ１９Ｂに記憶される放送局情報には、放送局の局名、放送局の種別（ＦＭラジオ放送局あるいはＡＭラジオ放送局）、受信バンド、受信周波数を示す情報等が登録されている。ユーザーが、プリセットチャンネル用メモリ１９Ａ、或いは、トラベルチャンネル用メモリ１９Ｂに記憶された放送局情報に基づいて受信する放送局を選局すると、この放送局について、受信部１２における受信処理および表示部１７における各種情報の表示がなされる。
【００１７】
図２は、ラジオ受信機１の一実施例を示す正面図である。図２に示すように、ラジオ受信機１は、正面にコントロールパネル３を備え、このコントロールパネル３には、複数の操作キー５、表示パネル６、及び、ＣＤの挿入口７が備えられる。ユーザーは、これらの操作キー５を操作することにより、複数の音源の中から所望の音源を選択することができる。コントロールパネル３は、ラジオ受信機１に着脱自在に取り付けられていても良い。
操作キー５は、ボリュームキー５１、ＦＭラジオ音源ボタン５２、ＡＭラジオ音源ボタン５３、ＣＤ音源ボタン５４、オートストア（Ａ−ＳＥＬ）ボタン５５、サーチボタン５６、メモリーボタン５７、ダイレクトボタン（プリセットキー）５８（５８Ａ，５８Ｂ，５８Ｃ・・・）、イジェクトボタン５９から構成される。
【００１８】
ラジオ受信機１は、６個のダイレクトボタン５８を備える。また、ラジオ受信機１には、ＦＭ放送用のバンドとしてＦＭ１、ＦＭ２の二つのバンド、及び、ＡＭ放送用のバンドが設けられる。つまり、ラジオ受信機１には、プリセットチャンネル用メモリ１９Ａに、ＦＭ放送用の２バンド６チャンネルの１２チャンネルとＡＭ放送用の６チャンネルで計１８チャンネル、及び、トラベルチャンネル用メモリ１９Ｂに、ＦＭ放送用２バンド６チャンネルの１２チャンネルとＡＭ放送用の６チャンネルで計１８チャンネルの、合計３６チャンネル登録をすることができる。
【００１９】
ボリュームキー５１は、ノブの回転操作によってボリューム（音量）を調整するために用いられる。また、ボリュームキー５１は、押下操作によってラジオ受信機１の電源をオン・オフするために用いられても良い。ボリュームキー５１は、コントロールパネル３の左右にそれぞれ設けられ、車両の運転者、或いは、助手席の搭乗者のどちらからでも容易にボリューム操作ができるように備えられている。
【００２０】
ＦＭラジオ音源ボタン５２は、音源ソースをＦＭラジオ音源に切り替えるための押下式のボタンであり、押下されることでＦＭラジオ音源が音源ソースとして選択される。また、ラジオ受信機１は、ＦＭ放送用の受信バンドとして、ＦＭ１と、ＦＭ２との二つのバンドを切り替え可能に備える。ＦＭ放送用の受信バンドは、ＦＭラジオ音源ボタン５２を押すたびに、ＦＭ１からＦＭ２へ、そして、ＦＭ２からＦＭ１へと切り替えられる。本実施形態では、ラジオ受信機１は、ＦＭ放送用のバンドを、ＦＭ１と、ＦＭ２の２つのバンドを備える構成としたが、ラジオ受信機１は、ＦＭ放送用のバンドを２つに限らず、複数備えていても良い。この場合、ＦＭ放送用の受信バンドは、ＦＭラジオ音源ボタン５２を押すたびに、順にＦＭ１、ＦＭ２、ＦＭ３・・・と遷移される。
ＡＭラジオ音源ボタン５３は、音源ソースをＡＭラジオに切り替えるための押下式のボタンであり、押下されることでＡＭラジオが音源ソースとして選択される。本実施形態では、ラジオ受信機１は、ＡＭ放送用のバンドを１つ備える構成としたが、例えば、ＡＭ放送用のバンドとしてＡＭ１と、ＡＭ２との２つ、或いは複数のバンドをＡＭラジオ音源ボタン５３の押下操作で切り替え可能に備えていても良い。
【００２１】
ＣＤ音源ボタン５４は、音源ソースをＣＤ音源に切り替えるための押下式のボタンであり、押下されることでＣＤ音源が音源ソースとして選択される。
オートストアボタン５５は、押下式のボタンである。ラジオ受信機１は、受信電波の強いラジオ放送局を自動受信し、受信した放送局の放送局情報（周波数等）を自動的にダイレクトボタン５８に登録するオートストア機能を備え、ユーザーは、オートストアボタン５５を長押し（数秒間押し続ける）することで、このオートストア機能を実施することができる。
【００２２】
オートストアボタン５５が長押しされると、制御部１０は、オートストア機能を実施する。このオートストア機能では、制御部１０の制御の下、受信部１２で予め設定された受信可能範囲を走査しながら受信強度を観測するシーク動作を行い、受信可能な放送局を探し出す。制御部１０は、このシーク動作で探し出された放送局に基づいて、受信電波の強い放送局の放送局情報を複数あるダイレクトボタン５８のそれぞれに対応づけて、トラベルチャンネル用メモリ１９Ｂに記憶する。
【００２３】
また、オートストアボタン５５が押下されると、放送局の受信モードが、プリセットチャンネル用メモリ１９Ａに記憶されたラジオ放送局の中から受信する放送局を選択する通常バンドモードから、トラベルチャンネル用メモリ１９Ｂに記憶されたラジオ放送局の中から受信する放送局を選択するＡ−ＳＥＬ（オートストア）バンドモードへと切り替えられる。
【００２４】
サーチボタン５６は、サーチアップボタン５６Ａと、サーチダウンボタン５６Ｂとから構成される押下式のボタンである。ユーザーは、このサーチボタン５６を押して、受信できるラジオ放送局に選局する手動選局を行うことができる。ラジオを聴くためには、ユーザーは、まず、ＦＭラジオ音源ボタン５２、或いは、ＡＭラジオ音源ボタン５３を押して、音源ソースの切り替えと、受信バンドの切り替えを行い、サーチボタン５６を操作して受信する放送電波を所望する周波数に合わせて選局することで、ラジオ放送を受信することができる。
また、サーチボタン５６は、ＣＤ音源が音源ソースとして選択されているさいには、ＣＤに収録されている楽曲の選曲に使用されるとともに、長押しされた場合には、再生中の楽曲の早送り／早戻しを行うために用いられる。
【００２５】
メモリーボタン５７は、プリセットチャンネル用メモリ１９Ａへの書き込を可能とするために用いられ、選局したラジオ放送局をダイレクトボタン５８に登録するさいに用いられる、押下式のボタンである。ユーザーは、メモリーボタン５７を押下し、次に、任意のダイレクトボタン５８を押下することで、現在受信中の放送局をダイレクトボタン５８のいずれかに割り当てて登録し、当該放送局に係る放送局情報がプリセットチャンネル用メモリ１９Ａに記憶される。
【００２６】
ダイレクトボタン５８は、複数の押下式のダイレクトボタン５８Ａ，５８Ｂ・・・から構成される。各ダイレクトボタン５８Ａ，５８Ｂ・・・には、選択されている、受信モード（通常バンドモード、或いは、Ａ−ＳＥＬバンドモード）、選択されているラジオ音源（ＦＭラジオ、或いは、ＡＭラジオ）、及び、選択されている受信バンド（ＦＭ１、或いは、ＦＭ２）に応じた放送局を登録することができる。各ダイレクトボタン５８Ａ，５８Ｂ・・・に登録されるラジオ放送局の放送局情報は、受信モードに応じて、それぞれプリセットチャンネル用メモリ１９Ａ、或いは、トラベルチャンネル用メモリ１９Ｂのいずれかに記憶されている。なお、本実施形態では、ダイレクトボタン５８は、押下式のボタンであり、ダイレクトボタン５８を操作するとは、ダイレクトボタン５８を押下する操作であるが、ダイレクトボタン５８は、押下式ボタン以外にも、例えば、切替操作をおこなえる切替スイッチでもよい。
【００２７】
イジェクトボタン５９は、押下式のボタンであり、ラジオ受信機１の内部にＣＤ挿入されているときに、このイジェクトボタン５９を押すことで、ＣＤを挿入口７から排出することができる。
【００２８】
プリセットチャンネル用メモリ１９Ａには、ユーザー操作によって選局され、ダイレクトボタン５８に登録された放送局の放送局情報が通常バンドリストＮＬに書き込まれて記憶される。通常バンドリストＮＬは、図３（Ａ）に示すように、バンドリストＮＬ１，ＮＬ２，ＮＬ３から構成され、各バンドリストＮＬ１，ＮＬ２，ＮＬ３には各受信バンドＡＭ，ＦＭ１，ＦＭ２に対して、各ダイレクトボタン５８に対応付けて登録される放送局の放送局情報が記憶される。各ダイレクトボタン５８に登録されているラジオ放送局は、ユーザー操作によって変更可能であり、通常バンドリストＮＬに記憶されている放送局は、ユーザー操作に応じて書き換えられる。
各ダイレクトボタン５８Ａ，５８Ｂ・・・に登録される放送局の放送局情報は、バンドリストＮＬ１，ＮＬ２，ＮＬ３ごとに、チャンネルＣｈ１，Ｃｈ２・・・・に順に記憶される。つまり、ダイレクトボタン５８Ａに登録される放送局の放送局情報はチャンネルＣｈ１に、ダイレクトボタン５８Ｂに登録される放送局の放送局情報はチャンネルＣｈ２に、それぞれ記憶される。
【００２９】
トラベルチャンネル用メモリ１９Ｂには、オートセレクト機能によって探し出され、ダイレクトボタン５８に登録された放送局の放送局情報がＡ−ＳＥＬバンドリストＡＬに書き込まれて記憶される。Ａ−ＳＥＬバンドリストＡＬは、図３（Ａ）に示すように、バンドリストＡＬ１、ＡＬ２，ＡＬ３から構成され、各バンドリストＡＬ１，ＡＬ２，ＡＬ３には各受信バンドＡＭ，ＦＭ１，ＦＭ２に対して、各ダイレクトボタン５８に対応付けて登録される放送局の放送局情報が記憶される。オートストアボタン５５が再び長押しされた際には、制御部１０の制御の下、現在受信している受信バンド（ＦＭ１バンド、ＦＭ２バンド、ＡＭバンド）に応じて、バンドリストＡＬ１，ＡＬ２，ＡＬ３のいずれかに記憶されている放送局情報が、現在受信可能な放送局の放送局情報に書き換えられて、最新の状態に更新される。
【００３０】
次に、各ダイレクトボタン５８Ａ，５８Ｂ・・・にラジオ放送局を登録する操作方法について説明する。
まず、通常バンドモードで受信する放送局の登録方法について説明する。
ユーザーは、始めに、ＦＭラジオ音源ボタン５２、或いは、ＡＭラジオ音源ボタン５３のいずれかを押下して、音源を選択するとともに、受信するラジオ放送のバンドを選択する。ユーザーは、選択している音源、及び、バンドを表示部１７の表示パネル６の表示から確認することができる。
【００３１】
次に、ユーザーは、サーチボタン５６を操作して、所望する放送局の周波数に合わせて選局し、ラジオ放送を受信する。続いて、ユーザーは、メモリーボタン５７を押下してから、ダイレクトボタン５８Ａ，５８Ｂ・・・の中から登録させたいダイレクトボタン５８を選択して押下する。これによって、押下されたダイレクトボタン５８に現在受信中の放送局が登録され、当該放送局の放送局情報がプリセットチャンネル用メモリ１９Ａに記憶される。
また、ユーザーは、メモリーボタン５７の押下操作を省いて、登録させたいダイレクトボタン５８を長押し（数秒間押し続ける）することでも、当該ダイレクトボタン５８に現在受信中の放送局を登録することができる。
【００３２】
次に、オートストア機能によってダイレクトボタン５８に登録された放送局を受信するＡ−ＳＥＬバンドモードでの受信中に、当該受信中の放送局をプリセットチャンネル用メモリ１９Ａに記憶させて、通常バンドモードでのラジオ放送の受信時に、任意のダイレクトボタン５８から当該放送局を選局可能とする方法について図４のフローチャートを用いて説明する。
【００３３】
ユーザーは、まず、オートストアボタン５５を押下し、受信モードをＡ−ＳＥＬバンドモードに設定する。次に、ＦＭラジオ音源ボタン５２、或いは、ＡＭラジオ音源ボタン５３のいずれかを押下して、音源を選択し、受信するラジオ放送のバンドを選択する。続いて、ユーザーは、ダイレクトボタン５８Ａ，５８Ｂ・・・の中から登録させたいダイレクトボタン５８を選択して押下する。これによって、押下されたダイレクトボタン５８に登録されている放送局に選局する。ラジオ受信器１は、ユーザー操作に基づいて、ラジオ放送を受信する（ステップＳ１）。
次に、ユーザーは、メモリーボタン５７を押下してプリセットチャンネル用メモリ１９Ａへの書き込みを可能としてから、続いて、登録させたいダイレクトボタン５８を押下する。制御部１０は、ユーザー操作に基づいて、受信中の放送局を通常バンドリストＮＬに登録する操作がなされたことを検出する（ステップＳ２：Ｙｅｓ）。制御部１０は、押下されたダイレクトボタン５８に、現在受信中の放送局を登録し、当該放送局の放送局情報を通常バンドリストＮＬに書き込む（ステップＳ３）。
【００３４】
オートストア機能によってダイレクトボタン５８に登録された放送局を受信するＡ−ＳＥＬバンドモードでの受信中に、当該受信中の放送局をプリセットチャンネル用メモリ１９Ａに記憶させる方法の具体例を、図５を用いて説明する。
例えば、図５（Ａ）に示した、トラベルチャンネル用メモリ１９Ｂの、Ａ−ＳＥＬバンドリストＡＬのＡＭバンド用リストであるバンドリストＡＬ１から、チャンネル３（ダイレクトボタン５８Ｃに対応するメモリ）に登録されている放送局情報をプリセットチャンネル用メモリ１９Ａのチャンネル１（ダイレクトボタン５８Ａに対応するメモリ）に書き込む場合、ユーザーは、まず、オートストアボタン５５を押下し、次に、ＡＭラジオ音源ボタン５３を押下して、続いて、ダイレクトボタン５８Ｃを押下し、受信する放送局を、バンドリストＡＬ１のチャンネル３に記憶されている放送局に選局する。ラジオ受信機１は、受信する放送局の情報を、図２に示すように、表示部１７の表示パネル６に表示する。
【００３５】
表示パネル６には、図２に示すように位、Ａ−ＳＥＬバンドモードで放送局を受信している、つまり、オートストア機能によってトラベルチャンネル用メモリ１９Ｂに記憶された放送局を受信していることを示すインディケータＩ１と、ＦＭ１、ＦＭ２、或いは、ＡＭバンドのいずれの受信バンドを受信しているかを示すインディケータＩ２と、選択されている受信チャンネルを示すインディケータＩ３と、受信している放送局の周波数値を示すインディケータＩ４と、が表示される。
【００３６】
続いて、ユーザーは、メモリーボタン５７を押下してから、ダイレクトボタン５８Ａを押下する。制御部１０は、このユーザー操作を検出して、図５（Ｂ）に示すように、プリセットチャンネル用メモリ１９Ａに記憶されているバンドリストＮＬ１のチャンネルＣｈ１を、現在受信している放送局の放送局情報に書き換える。この構成によれば、Ａ−ＳＥＬバンドモードでの受信中に、現在受信しているラジオ放送の放送局情報を通常バンドリストＮＬに簡単に書き込むことができる。
【００３７】
別の実施形態として、プリセットチャンネル用メモリ１９Ａは、メモリーボタン５７を押下しなくても、現在受信している放送局を登録したいダイレクトボタン５８をユーザーが数秒間押し続ける（長押しする）ことで書き換え可能な構成としても良い。このようにして、トラベルチャンネル用メモリ１９Ｂに記憶している放送局情報に基づいて受信した放送局を、任意のダイレクトボタン５８に登録し、プリセットチャンネル用メモリ１９Ａに簡単に記憶させることができる。また、オートストア機能を実施した際には、すでにトラベルチャンネル用メモリ１９Ｂに記憶されている放送局情報は、現在受信可能な放送局の放送局情報に書き換えられ、最新の状態に更新されてしまうが、一方、プリセットチャンネル用メモリ１９Ａに記憶された放送局情報は、図５（Ｃ）に示すように、書き換えられることなく記憶されている。
【００３８】
この構成によれば、通常聴くラジオ放送の放送局情報が記憶されているプリセットチャンネル用メモリ１９Ａは、オートストア機能を実施しても書き換えられることがないため、オートストア機能を実施するたびに、お気に入りのラジオ放送局の登録をやり直す必要がなく、ユーザーは気兼ねなくオートストア機能を実施することができる。
また、この構成によれば、簡単な操作で、オートストア機能によってトラベルチャンネル用メモリ１９Ｂに記憶された放送局情報を、任意のダイレクトボタン５８に対応付けてプリセットチャンネル用メモリ１９Ａに記憶させることができるため、操作性が向上する。
【００３９】
以上説明したように、本発明を適用した実施形態によれば、複数のダイレクトボタン（プリセットキー）５８と、各ダイレクトボタン５８に対応づけて設けられ、オートストア機能により検出される受信可能な放送局の放送局情報が順次書き換え可能に記憶されるトラベルチャンネル用メモリ１９Ｂと、トラベルチャンネル用メモリ１９Ｂに記憶された放送局を受信中にダイレクトボタン５８を操作することで、当該受信中の放送局の放送局情報が操作したダイレクトボタン５８に対応づけて書き込まれるプリセットチャンネル用メモリ１９Ａと、を備えた。これにより、オートストア機能によってトラベルチャンネル用メモリ１９Ｂに書き込まれた放送局の放送局情報を、簡単な操作で、オートストア機能によって書き換えられることがないプリセットチャンネル用メモリ１９Ａに書き込むことができ、ユーザーは、オートストア機能によって検出されたお気に入りの放送局をプリセットチャンネル用メモリ１９Ａに対応づけて任意のダイレクトボタン５８に登録させておくことができる。そのため、長距離の移動中等で、受信電波が弱くなった時にはお気に入りの放送局の放送局情報が他の放送局に書き換えられてしまう心配をすることなく、気兼ねなくオートストア機能を実行することができるようになる。
【００４０】
また、本発明を適用した実施形態によれば、放送局情報には、すくなくとも当該放送局情報が係る放送局の受信周波数が書き込まれるため、対応づけられたプリセットキーが操作された場合には、メモリに記憶されている放送局の受信周波数を受信部１２のチューナー回路で受信することで、選局されたラジオ放送を受信することができる。
【００４１】
また、本発明を適用した実施形態によれば、トラベルチャンネル用メモリ１９Ｂに放送局情報が記憶された放送局の受信と、プリセットチャンネル用メモリ１９Ａに放送局情報が記憶された放送局の受信と、を切り替える操作ボタン５５を備えたため、受信モードを、トラベルチャンネル用メモリ１９Ｂに記憶された放送局を受信するＡ−ＳＥＬバンドモードと、プリセットチャンネル用メモリ１９Ａに記憶された放送局を受信する通常バンドモードとを簡単な操作で切り替えることができ、操作性が向上する。
【００４２】
また、本発明を適用した実施形態によれば、トラベルチャンネル用メモリ１９Ｂ、或いは、プリセットチャンネル用メモリ１９Ａに放送局情報が記憶された放送局の受信中に、当該受信中の放送局情報を表示する表示部１７を備えたため、ユーザーは、現在受信中の放送局の放送局情報を目視して確認することができる。また、表示部１７には、現在の受信モードが、トラベルチャンネル用メモリ１９Ｂに記憶された放送局を受信するＡ−ＳＥＬバンドモードであるか、或いは、プリセットチャンネル用メモリ１９Ａに記憶された放送局を受信する通常バンドモードであるかを示す情報が表示されるため、ユーザーは現在の受信モードを確認して、お気に入りの放送局をプリセットチャンネル用メモリ１９Ａに記憶する、或いは、オートストア機能を実行する等の操作を行うことができるようになり、利便性が向上する。
【００４３】
また、本発明を適用した実施形態によれば、手動選局により検出された放送局の受信中に、ダイレクトボタン５８を操作することで、当該受信中の放送局の放送局情報が操作したダイレクトボタン５８に対応づけてプリセットチャンネル用メモリ１９Ａに書き込まれるため、ユーザーが手動で選局した任意の放送局の放送局情報をオートストア機能によって書き換えられることのないプリセットチャンネル用メモリ１９Ａに書き込んで記憶しておくことができるため、例えば６つのダイレクトボタンを５８を備える本実施形態のラジオ受信機では、オートストア機能によりダイレクトボタン５８に登録されない７番目に受信電波強度の強いラジオ放送の受信、及び、登録をユーザが所望する場合の利便性が向上する。
【符号の説明】
【００４４】
１  ラジオ受信機
１７  表示部（表示手段）
１９Ａ  プリセットチャンネル用メモリ
１９Ｂ  トラベルチャンネル用メモリ
５５  オートストアボタン（操作ボタン）
５８  ダイレクトボタン（プリセットキー）
【図１】
2012248928.tif 000003
【図２】
2012248928.tif 000004
【図３】
2012248928.tif 000005
【図４】
2012248928.tif 000006
【図５】
2012248928.tif 000007